(57)【要約】【課題】  片閉まり状態を引き起こすことなく小さな操作力で開閉フレームを閉じることのできる鋏式切断機構を備えたプリンタを提案すること。【解決手段】  プリンタ１の鋏式切断機構３０は、本体フレーム４０に搭載した固定刃３１と、開閉フレーム５１に搭載した可動刃３２を有し、固定刃３１は板ばね９１によって上方に付勢されている。開閉フレーム５１を閉じた際に可動刃３２が固定刃３１に当たることの無い様に可動刃３２の待機位置を定めてある。待機位置から可動刃３２移動すると、その突出部分３２ｂが固定刃突出面３１ｂから傾斜案内面３１１に乗り上げて、ばね力に逆らって固定刃３１を押し込み、可動刃の刃先３２ａが固定刃の刃先３１ａに点接触状態で摺動可能になる。固定刃３１をばね力に逆らって押し込みながら開閉フレーム５１を閉じる必要がないので、小さな操作力で、片閉まり状態を招くことなく、開閉フレーム５１を閉じることができる。【選択図】  図１０
2005254683.tif 000002
【特許請求の範囲】
【請求項１】
本体フレームと、
この本体フレームに開閉可能な状態で支持されている開閉フレームと、
鋏式切断機構とを有し、
この鋏式切断機構は、前記本体フレームに搭載された固定刃と、前記開閉フレームに搭載された可動刃と、前記固定刃を前記開閉フレームの開き方向に付勢している付勢部材とを備え、前記開閉フレームを閉じた状態において、前記可動刃を待機位置から前記固定刃の側に移動させると、前記可動刃の刃先が、点接触状態で前記固定刃の刃先沿って摺動して記録紙を切断可能であり、
前記可動刃の前記待機位置は、前記開閉フレームを閉じた際に前記固定刃に当たらない位置に設定されているプリンタ。
【請求項２】
請求項１において、
前記待機位置から前記固定刃の側に移動する前記可動刃を前記固定刃に乗り上げた状態に導く案内面を有しており、
この案内面は、前記可動刃および／または前記固定刃に形成されているプリンタ。
【請求項３】
請求項２において、
前記案内面は傾斜面であるプリンタ。
【請求項４】
請求項３において、
前記可動刃は、切断対象の記録紙の搬送方向に対して直交する方向に延びており、
前記固定刃は、前記可動刃に対して傾斜配置されているプリンタ。
【請求項５】
請求項４において、
前記本体フレームに取り付けられた印字ヘッドと、
前記開閉フレームに取り付けられたプラテンと、
前記本体フレームにおける前記印字ヘッドよりも上側の位置に取り付けられた紙押さえローラと、
前記開閉フレームを閉じると、前記紙押さえローラに当接した状態となるように、当該開閉フレームに取り付けられている紙送りローラとを有しているプリンタ。
【請求項６】
請求項５において、
前記本体フレームの側に形成された記録紙ロールの収納部と、
この収納部を開閉するための開閉蓋とを有しており、
この開閉蓋は前記開閉フレームに取り付けられているプリンタ。
【発明の詳細な説明】
【技術分野】
【０００１】
本発明は、本体フレームに対して開閉可能に取り付けられている開閉フレームを開けて記録紙ロールの交換を行うロール紙プリンタなどのプリンタに関し、特に、排出される記録紙を切断するための鋏式記録紙切断機構を備えたプリンタに関するものである。
【背景技術】
【０００２】
プリンタ、例えば、ロール紙プリンタでは、記録紙ロール収納部に装填された記録紙ロールから繰り出された記録紙を印字位置を経由させて搬送し、当該記録紙上に所望の印字を行う。印字後の記録紙は印字位置よりも搬送方向の下流側に配置されている記録紙切断機構によって切断され、所定長さのレシートなどとして排出される。記録紙切断機構としては鋏式のものが知られている。鋏式切断機構は固定刃と可動刃を備え、固定刃の刃先に対して可動刃の刃先が点接触状態で摺動するように可動刃が移動し、これらの間に位置している記録紙が切断される。
【０００３】
ここで、記録紙ロールの交換作業等を簡単に行うことができるようにするために、プリンタの本体フレームに対して開閉フレームを開閉可能に取り付け、記録紙ロールの収納部の開閉蓋を開閉フレームに取り付けると共に、本体フレームと開閉フレームの間に記録紙搬送路を形成した構成のプリンタが提案されている。この構成のプリンタでは、下記の特許文献１などに開示されているように、鋏式切断機構の可動刃が本体フレームに搭載され、固定刃が開閉フレームに搭載されている。開閉フレームを閉じると、固定刃が可動刃に当たり、それらの間を通過する記録紙を切断可能な状態になる。また、鋏式切断機構では、固定刃と可動刃の点接触状態を形成するために、固定刃を切断対象の記録紙の搬送方向に直交する方向、一般的には水平方向に配置し、可動刃を固定刃に対して僅かに傾斜配置している。さらに、可動刃および固定刃を弾性部材などによって所定の力で相互に押し付けるようにしている。
【特許文献１】特開平９−１３１５９５号公報
【発明の開示】
【発明が解決しようとする課題】
【０００４】
従来の鋏式切断機構を備えたプリンタでは、開閉フレームに固定刃が搭載され、固定刃の上側、すなわち開閉フレームの開き方向の側を可動刃の刃先が摺動するようになっている。このため、何らかの原因により切断動作が途中で止まった場合などにおいては、本体フレームに取り付けられている可動刃の下側に開閉フレームに搭載されている固定刃が位置したままとなる。従って、可動刃を元の位置に戻さないと開閉フレームを開けることができない。
【０００５】
そこで、本体フレームに固定刃を搭載し、開閉フレームに可動刃を搭載して、開閉フレームの開き方向の側から可動刃を固定刃に接触させるようにすることが考えられる。この場合には、開閉フレームを閉じると、そこに搭載されている可動刃が、弾性部材によって付勢されている固定刃を押し込み、記録紙を切断可能な状態になる。
【０００６】
しかし、この構成のプリンタでは、開閉フレームを閉じる際に、固定刃を付勢している弾性部材の弾性力に逆らって開閉フレームを閉じ位置まで押し込み、開閉フレームを本体フレームにロックする必要がある。したがって、開閉フレームを閉じるために大きな操作力が必要になる。
【０００７】
また、開閉レームのロック状態は、一般に、プリンタ幅方向の両側に配置されているラッチを本体フレーム側の軸などの部材に掛止することにより形成される。したがって、開閉フレームの剛性が低い場合などにおいて、開閉フレームの片寄った位置を押し込むと、開閉フレームが撓み、一方の側のラッチのみがロックされた所謂、片閉まり状態に陥る危険性がある。
【０００８】
本発明の課題は、このような点に鑑みて、開閉フレームに搭載されている可動刃が本体フレームに搭載されている固定刃に対して開閉フレームの開き方向の側から接触するように構成された鋏式切断機構を備えたプリンタにおいて、片閉まり状態に陥ることなく、小さな操作力で開閉フレームを閉じることを可能にすることにある。
【課題を解決するための手段】
【０００９】
上記の課題を解決するために、本発明のプリンタは：本体フレームと；この本体フレームに開閉可能な状態で支持されている開閉フレームと；鋏式切断機構とを有し；この鋏式切断機構は、前記本体フレームに搭載された固定刃と、前記開閉フレームに搭載された可動刃と、前記固定刃を前記開閉フレームの開き方向に付勢している付勢部材とを備え、前記開閉フレームを閉じた状態において、前記可動刃を待機位置から前記固定刃の側に移動させると、前記可動刃の刃先が、点接触状態で前記固定刃の刃先沿って摺動して記録紙を切断可能であり；前記可動刃の前記待機位置は、前記開閉フレームを閉じた際に前記固定刃に当たらない位置に設定されていることを特徴としている。
【００１０】
本発明のプリンタでは、前記開閉フレームを閉じた際に、そこに搭載されている前記可動刃が、前記付勢部材によって前記開き方向に付勢されている固定刃に当たることがない。よって、前記開閉フレームを閉じる際に前記付勢部材の付勢力に逆らって前記開閉フレームを押し込む必要がないので、当該開閉フレームを小さな操作力で簡単に閉めることができる。また、前記開閉フレームを閉じる際に当該開閉フレームに加わる力が小さいので、片寄った位置において当該開閉フレームを押し込んだとしても、当該開閉フレームが撓み片閉まり状態に陥る危険性も少ない。
【００１１】
ここで、記録紙を切断可能な状態となるように、前記固定刃に対して前記可動刃を位置決めするためには、前記待機位置から前記固定刃の側に移動する前記可動刃を、前記固定刃に乗り上げた状態に導く案内面を形成すればよい。この案内面は、前記可動刃および／または前記固定刃に形成することができる。また、前記案内面を傾斜面とすることができる。
【００１２】
また、前記可動刃の刃先を前記固定刃の刃先に対して点接触状態で摺動させるためには、前記可動刃を切断対象の記録紙の搬送方向に対して直交する方向に配置し、前記固定刃を前記可動刃に対して傾斜配置すればよい。
【００１３】
次に、前記本体フレームに前記開閉フレームが開閉可能に取り付けられているプリンタにおいては、前記本体フレームに印字ヘッドを取り付け、前記開閉フレームに印字位置を規定するためのプラテンを取り付けることができる。この場合には、前記本体フレームにおける前記印字ヘッドよりも上側の位置に紙押さえローラを取り付け、前記開閉フレームを閉じると、前記紙押さえローラに当接した状態となるように、当該開閉フレームに紙送りローラを取り付けることができる。この構成によれば、前記開閉フレームを開くと、前記本体フレーム側の印字ヘッドおよび紙押さえローラからプラテンおよび紙送りローラが離れるので、これらの間に記録紙を配置する作業が容易になる。
【００１４】
ここで、前記本体フレームの側に記録紙ロールの収納部が形成されている場合には、この収納部を開閉するための開閉蓋を、前記開閉フレームに取り付けておけばよい。
【発明を実施するための最良の形態】
【００１５】
以下に、図面を参照して、本発明を適用したプリンタの実施の形態を説明する。
【００１６】
（全体構成）
図１は本実施の形態に係る鋏式切断機構が搭載されたプリンタの外観斜視図であり、図２はその概略縦断面図であり、図３は開閉蓋を開けた状態での概略縦断面図であり、図４は鋏式切断機構が取り付けられている部分を示す部分拡大断面図である。
【００１７】
これらの図を参照して説明すると、プリンタ１は、その四周側面を覆う矩形枠状のケース本体２と、プリンタ上面の前側部分を覆う前側開閉蓋３および後側部分を覆う後側開閉蓋４とを備え、これらによりプリンタケースが構成されている。プリンタケースにはプリンタユニット１１が内蔵されており、開閉蓋３、４の間には記録紙排出口５が形成されている。後側の開閉蓋４は、スライドボタン６を操作すると、そのロック機構（図示せず）が外れて、図３に示すように開けることが可能になる。開閉蓋４を開けると、プリンタユニット１１における記録紙ロール７の収納部８が露出し、記録紙ロール７の交換などを行うことができる。また、前側の開閉蓋３を開けると、プリンタユニット１１のインクリボンのリボンカセット９を着脱可能に装着するリボンカセット装着部１０が露出し、リボンカセット９の交換などを行うことができる。
【００１８】
次に、プリンタ内部の構成を説明する。プリンタユニット１１の後側の部分には、側方から見た場合に上方に開口した円弧状の底面を備えた記録紙ロール７の収納部８が形成されている。ここに装填された記録紙ロール７から引き出された記録紙７ａは、収納部８の前端部分に配置されているガイドローラ１４を介して記録紙搬送路１５に導かれる。記録紙搬送路１５は、前方に向けて上方に僅かに傾斜している搬送路部分１６と、この搬送路部分１６の前端から上方に大きな傾斜角度で立ち上がっている前方傾斜路部分１７と、この前方傾斜路部分１７の上端から後方に向けて傾斜して記録紙排出口５に繋がっている後方傾斜路部分１８を備えている。図２、図４においては記録紙７ａを一点鎖線で示してある。
【００１９】
搬送路部分１６は搬送ガイド１６ａと、これに対峙している搬送面１６ｂとによって規定されている。これに続く前方傾斜路部分１７は、ドットインパクト方式の印字ヘッド２０のヘッド面２０ａと、これに対して一定間隔で対峙しているプラテン２１とによって規定されており、印字ヘッド２０による印字位置となっている。印字ヘッド２０は、そのヘッド面２０ａが後向きで、上方に傾斜した方向を向くように配置されている。印字ヘッド２０の傾きに対応させて、プラテン２１の表面は前方に向けて下方に傾斜した状態に配置されている。印字ヘッド２０はヘッドキャリッジ２２に搭載されており、ヘッドキャリッジ２２は、キャリッジガイド軸２３に沿って幅方向に往復移動可能となっている。
【００２０】
ヘッドキャリッジ２２の上側にはリボンカセット９の装着部１０が形成されている。当該装着部１０も後方に向けて上側に向かうように傾斜配置されている。従って、ここに装着したリボンカセット９のインクリボン９ａは、印字ヘッド２０とプラテン２１の間に、これらと平行となるようにセット可能である。
【００２１】
前方傾斜路部分１７に連続している後方傾斜路部分１８は、プラテン２１の上端から後方に向けて折れ曲がった方向に延びている搬送ガイド２８によって規定されている。この後方傾斜路部分１８には、紙送りローラ２５と、紙押さえローラ２６と、紙押さえローラ２６を紙送りローラ２５に付勢している付勢部材としてのトーションバー２７を備えた紙送り機構が配置されている。紙送りローラ２５は後方傾斜路部分１８の後側に配置され、紙押さえローラ２６はその前側において、ローラ取付板２９に対して紙送りローラ２５に接近する方向に移動可能に支持され、常に、トーションバー２７のばね力によって紙送りローラ２５の側に付勢されている。
【００２２】
記録紙ロール７から引き出された記録紙７ａは、紙送りローラ２５と紙押さえローラ２６の間に挟まれ、不図示の駆動源によって紙送りローラ２５を回転することによって搬送路１５に沿って搬送される。なお、本例では、プラテン２１と、その下側に連続している搬送ガイド１６ａが単一部品であるプラテンフレーム５５によって形成され、このプラテンフレーム５５の上端部分に搬送ガイド２８が取り付けられている。
【００２３】
次に、記録紙排出口５の近傍には、記録紙を切断するための鋏式切断機構３０が配置されている。鋏式切断機構３０は、記録紙の搬送経路を挟み、前側に配置された固定刃３１と、後側に配置された可動刃３２と、可動刃３２を動作させるための駆動機構３３とを備えている。可動刃３２および駆動機構３３はケース３４に内蔵されている。固定刃３１と可動刃３２との間にある記録紙７ａは、可動刃３２の刃先３２ａが固定刃３１の刃先３１ａの上面側を点接触状態で摺動することによって切断される。また、記録紙排出口５の前縁部分には手動操作により記録紙を切断可能な切断刃３５が取り付けられている。
【００２４】
（プリンタユニット）
図５はプリンタケースに内蔵されているプリンタユニット１１を示す斜視図であり、図６はその開閉側ユニットを開けた状態を示す斜視図である。プリンタユニット１１は、固定側ユニット１２と開閉側ユニット１３を備え、開閉側ユニット１３はその後端部分を中心として上下に回転可能な状態で固定側ユニット１２によって支持されている。
【００２５】
本例のプリンタユニット１１では、記録紙ロール７の交換作業などを簡単に行うことができるようにするために、記録紙ロールの収納部８の開閉蓋４を開けると、上記構成の記録紙搬送路１５も開放状態となるように構成されている。そのために、固定側ユニット１２に記録紙搬送路１５を構成している一方の側の構成部品を取り付け、移動側である開閉側ユニット１３には開閉蓋４と、搬送路１５を構成している他方の側の構成部品を取り付け、開閉側ユニット１３を開くと、記録紙ロール７の収納部８が開放されると同時に、記録紙搬送路１５も開放されるようになっている。
【００２６】
詳細に説明すると、固定側ユニット１２には、記録紙ロールの収納部８、搬送路部分１６の搬送面１６ｂ、印字ヘッド２０、紙押さえローラ２６および自動切断ユニット３０の固定刃３１が取り付けられている。これに対して、開閉側ユニット１３には、搬送路部分１６、前方傾斜路部分１７および後方傾斜路部分１８を規定しているプラテンフレーム５５（搬送ガイド１６ａ、プラテン２１）およびガイド板２８と、紙送りローラ２５と、鋏式切断機構３０の可動刃３２および駆動機構３３が取り付けられている。また、図３に示すように、開閉蓋４も取り付けられている。
【００２７】
図３および図６から分かるように、開閉側ユニット１３を全開にすると、上方から記録紙ロール７を収納部８に落とし込むという簡単な操作により記録紙ロール７を装填できる。また、搬送路１５が開放状態になっているので、搬送路１５に沿って記録紙ロール７から引き出した記録紙７ａを配置する操作も極めて簡単である。さらに、開閉側ユニット１３を閉じて図２、図４、図５に示す状態に戻すと、記録紙７ａが印字ヘッド２０とプラテン２１の間、および紙送りローラ２５と紙押さえローラ２６の間、および自動切断ユニット３０の固定刃３１と可動刃３２の間をそれぞれ通って記録紙排出口５から引き出された状態が自動的に形成される。
【００２８】
次に、これら固定側ユニット１２および開閉側ユニット１３の構造を更に詳しく説明する。まず、固定側ユニット１２は本体フレーム４０を備えており、この本体フレーム４０の前側部分にはキャリッジガイド軸２３が幅方向に架け渡されている。このキャリッジガイド軸２３には、前述のように、印字ヘッド２０を搭載したヘッドキャリッジ２２が往復移動可能な状態で支持されている。これらヘッドキャリッジ２２および印字ヘッド２０を覆う状態にリボンフレーム４１が取り付けられており、このリボンフレーム４１の外周部分がリボンカセット９の装着部１０とされている。
【００２９】
本体フレーム４０の後側の部分には記録紙ロール７を装填するための収納部８が形成されており、この収納部８の後端部分には、幅方向に延びる回転中心軸４３が本体フレーム４０に掛け渡されている。この回転中心軸４３が開閉側ユニット１３の回転中心となっている。
【００３０】
一方、開閉側ユニット１３は開閉フレーム５１を有しており、この開閉フレー５１は、前後方向に延びる左右の腕部分５２、５３と、これら腕部分５２、５３の前端部分を連結している前端連結板部分５４とを備えている。左右の腕部分５２、５３の後端部分は、上記の回転中心軸４３の両端部分によって回転自在に支持されている。開閉フレーム５１の前端連結部分５４の前端にはプラテンフレーム５５が取り付けられており、この裏面側には紙送りローラ軸２５ａが取り付けられており、このプラテンフレーム５５に取り付けられているガイド板２８に形成した開口部２８ａ、２８ａからは、紙送りローラ軸２５ａに同軸状に固定した２個の紙送りローラ本体２５ｂ、２５ｂの外周面が前方に突出している。開閉フレーム５１の前端連結板部分５４の上には、鋏式切断機構３０の可動刃３２および駆動機構３３が搭載されている。
【００３１】
（鋏式切断機構）
次に、図７は、固定側ユニット１２に搭載されている鋏式切断機構３０の固定刃３１の取り付け部分をプリンタ後側から見た場合の部分立面図である。図８は固定刃３１等が取り付けられているローラ取付板２９をプリンタ後側から見た場合の斜視図である。図９は固定刃３１と板ばねを示す斜視図である。
【００３２】
これらの図を参照して、まず、鋏式切断機構３０における固定刃３１の支持構造を説明する。固定刃３１が取り付けられているローラ取付板２９は、ガイド板２８にほぼ平行に対峙しているガイド板部分６１を備え、このガイド板部分６１の上端には、プリンタ前方に折れ曲がって水平に延びている水平板部分６２が連続している。また、水平板部分６２の前端には、上方に折れ曲がって垂直に延びている垂直板部分６３が連続しており、この垂直板部分６３の上端には、プリンタ後方に折れ曲がって水平に延びる切断刃保持板部分６４が連続している。この切断刃保持板部分６４の後端部分は斜め後方に折れ曲がっており、この部分の上端に切断刃３５が一体形成されている。この構成のローラ取付板２９は、その水平板部分６２の両端部が、固定側ユニット１２における本体フレーム４０の左右の後側端板部分４４、４５の上端部分に架け渡され、これらの部分に固定されている。
【００３３】
ローラ取付板２９の水平板部分６２の上面には板ばね９１が取り付けられている。本例では、板ばね９１の両端を固定ねじ９２ａ、９２ｂによって水平板部分６２に固定している。板ばね９１は、その幅方向の中央から左右に斜め上方に向けて延びる板ばね部分９１ａ、９１ｂが曲げ起しにより形成されている。双方の板ばね部分９１ａ、９１ｂは同一の長さに形成されているが、曲げ起された先端部の高さは左側の板ばね部分９１ａの方が高い。この板ばね９１の上に固定刃３１が支持されている。
【００３４】
次に、固定刃３１の形状を説明する。固定刃３１はプリンタ後側に面している端面の上端縁部分が刃先３１ａとされている。刃先３１ａの右端に連続した部分にはプリンタ後方および側方に向けて下方に傾斜した傾斜案内面３１１が形成されている。この傾斜案内面３１１における刃先３１ａの右端に連続した部分には、プリンタ後方に一定幅で突出している突出面３１ｂが形成されている。この突出面３１ｂもプリンタ後側に向けて下方に僅かに傾斜した傾斜面とされている。固定刃３１の反対側の端面部分の両端には掛止用突起３１ｃ、３１ｄが外方に突出している。ここで、板ばね９１の両端には、それぞれ垂直に固定刃支持片９１ｃ、９１ｄが切り起こされている。これらの固定刃支持片９１ｃ、９１ｄに形成したＬ形の支持面に、それぞれ固定刃３１の掛止用突起３１ｃ、３１ｄが支持されている。
【００３５】
一方、固定刃３１のプリンタ前側の端面における両端部分からはプリンタ前方に突出した左右一対の突起３１ｅ、３１ｆが形成されている。ローラ取付板２９の垂直板部分６３には、これらの突起３１ｅ、３１ｆが差し込まれているスリット６３ａ、６３ｂ（図５、６参照）が形成されている。突起３１ｅ、３１ｆは先端側（プリンタ前側）に向けて厚さが漸減している。これに対してスリット６３ａ、６３ｂの幅は一定である。よって、固定刃３１は、その刃先３１ａの側が上下に回動可能な状態で垂直板部分６３に取り付けられている。
【００３６】
ここで、左側のスリット６３ａは右側のスリット６３ｂよりも高い位置に形成されている。よって、固定刃３１における突起３１ｅが突起３１ｆよりも高くなるので（図４参照）、固定刃３１は全体として左側から右側に向けて下方に僅かに傾斜した傾斜姿勢で垂直板部分６３に取り付けられている。上記のように、板ばね９１の左側の板ばね部分９１ａの方が右側の板ばね部分９１ｂよりも高いので、固定刃３１は全体として一定のばね力で傾斜姿勢のまま上方に付勢されている。
【００３７】
図１０には、可動刃３２による固定刃３１の移動状態を示す説明図である。図５および図１０（ａ）に示すように、可動刃３２は、右端部の垂直軸３２ｂを中心として実線で示す待機位置から想像線で示す切断終了位置までの間を駆動機構３３によって回動させることができる。前述のように、可動刃３２のプリンタ前側の端面における下側縁部分が刃先３２ａとされている。開閉側ユニット１３（開閉フレーム５１）を閉じた状態において、可動刃の刃先３２ａの右側端に連続している部分３２ｃが、固定刃３１の突出面３１ｂの上側（開閉フレーム５１の開き方向の側）に位置し、可動刃３２が固定刃３１に接触しないように、当該可動刃３２の待機位置が設定されている。
【００３８】
したがって、開閉側ユニット１３を閉じると、図１０（ａ）、（ｂ）、（ｃ）に示すように、その突出部分３２ｃが固定刃３１の突出面３１ｂの上側に位置し、可動刃３２が固定刃３１から僅かに離れている。よって、開閉フレーム５１の側の可動刃３２が固定刃３１に当たらないので、当該固定刃３１を板ばね９１による付勢力に逆らって押し込みながら、開閉側ユニット１３を押し込む必要がない。この結果、開閉側ユニット１３を小さな操作力でその閉じ位置にロックすることができる。また、開閉蓋４における片寄った位置を押し込んだ場合においても、開閉側ユニット１３を閉じる際に開閉フレーム５１に作用する力が小さいので、開閉フレーム５１が撓み、片閉まり状態が発生する危険性も少ない。
【００３９】
次に、固定刃３１の突出面３１ｂと、この上側に位置している可動刃３２の突出部分３２ｃの下面との隙間は狭い。よって、駆動機構３３によって、可動刃３２を待機位置から切断終了位置に向けて移動させると、可動刃３２の部分３２ｃの下面は、傾斜面となっている突出面３１ｂに当たり、これに乗り上げ、さらに、当該突出面３１ｂに連続している傾斜案内面３１１に乗り上げる。この結果、可動刃３２によって固定刃３１がばね力に逆らって押し込まれて、可動刃３２の刃先３２ａがその右端側（回転中心の側）から固定刃３１の刃先３１ａに乗り上げ、双方が所定の押圧力で点接触した状態（記録紙を切断可能な位置決め状態）になる。この後は、可動刃３２の固定刃３２の側への旋回に伴って、それらの接触点が左側に移動する。
【００４０】
ここで、可動刃３２は水平面上を旋回する。これに対して、固定刃３１は左側に向けて上方に僅かに傾斜した姿勢に保持され、そのプリンタ前側端面の下縁３１ｇを中心として上下に回動可能な状態で垂直板部分６３に取り付けられ、板ばね９１によって常に上方に付勢されている。従って、可動刃３２の旋回に伴って、これらの接触点が左側に移動すると、図１０（ｄ）、（ｅ）に示すように、固定刃３１の刃先３２ａ側の部分が下方に押し下げられる。可動刃３２が切断終了位置に到ると、可動刃３２の下側に固定刃３１が傾斜状態に保持される。このように、双方の刃の接触点は右側から左側に向けて水平に移動するので、記録紙７ａは水平に切断される。すなわち、搬送方向に直交する方向に切断される。
【００４１】
可動刃３２による切断途中の状態で、すなわち、可動刃３２と固定刃３１が交差した状態で、何らかの原因により可動刃３２の旋回が停止した場合、可動刃３２を待機位置に戻すことなく、開閉側ユニット１３を開けることができる。すなわち、開閉側ユニット１３の開閉フレーム５１の先端に搭載されている可動刃３２は、本体フレーム４０の側に搭載されている固定刃３１に対して、上側（開閉フレーム５１の開き方向の側）から当接している。従って、可動刃３２が固定刃３１に交差状態であっても、そのまま開閉側ユニット１３を開けることが可能である。よって、可動刃３２が切断途中で停止した場合などの回復作業を迅速且つ簡単に行うことが可能である。
【００４２】
なお、上記の例は、ドットインパクト式の印字ヘッドを備えたプリンタに関するものであるが、印字ヘッドとしてインクジェットヘッドを用いたプリンタに対しても本発明を同様に適用可能である。さらに、印字ヘッドとしてサーマルヘッドのような接触型のものを用いたプリンタに対しても適用可能である。また、上記の例は、搬送機構を構成している紙送りローラおよび紙押さえローラが印字ヘッドの上側に配置されているが、搬送機構が印字ヘッドより下側（搬送経路の上流側）に配置された場合でも本発明を同様に適用可能である。
【図面の簡単な説明】
【００４３】
【図１】本発明を適用したプリンタの外観斜視図である。
【図２】図１のプリンタの概略縦断面図である。
【図３】図１のプリンタにおける開閉蓋を開けた状態での概略縦断面図である。
【図４】図１のプリンタの鋏式切断機構の部分を拡大して示す部分拡大断面図である。
【図５】図１のプリンタに内蔵されているプリンタユニットを示す斜視図である。
【図６】図５のプリンタユニットにおいて、開閉側ユニットを開いた状態を示す斜視図である。
【図７】図１のプリンタにおける固定刃が取り付けられている部分をプリンタ後側から見た場合の部分立面図である。
【図８】図７に示す部分をプリンタ後側から見た場合の斜視図である。
【図９】図７の固定刃および板ばねを示す斜視図である。
【図１０】図１のプリンタにおける鋏式切断機構の動作を示す説明図である。
【符号の説明】
【００４４】
１  プリンタ、４  開閉蓋、５  記録紙排出口、７  記録紙ロール、８  記録紙ロールの収納部、９  リボンカセット、１０  リボンカセットの装着部、１１  プリンタユニット、１２  固定側ユニット、１３  開閉側ユニット、１５  記録紙搬送路、１６  搬送路部分、１７  前方傾斜路部分、１８  後方傾斜路部分、２０  印字ヘッド、２０ａ  ヘッド面、２１  プラテン、２５  紙送りローラ、２６  紙押さえローラ、２７  トーションバー、２９  ローラ取付板、６１  ガイド板部分、６２  水平板部分、６３  垂直板部分、６４  切断刃保持板部分、３０  鋏式切断機構、３１  固定刃、３１ａ  刃先、３１ｂ  突出面、３１１  傾斜案内面、３２  可動刃、３２ａ  刃先、３２ｃ  突出部分、３３  駆動機構、３５  切断刃、４０  本体フレーム、４３  回転中心軸、４３ａ  中心軸線、５１  開閉フレーム、５２、５３  左右の腕部、５４  前端連結板部分、９１  板ばね、９１ａ、９１ｂ  板ばね部分
【図１】
2005254683.tif 000003
【図２】
2005254683.tif 000004
【図３】
2005254683.tif 000005
【図４】
2005254683.tif 000006
【図５】
2005254683.tif 000007
【図６】
2005254683.tif 000008
【図７】
2005254683.tif 000009
【図８】
2005254683.tif 000010
【図９】
2005254683.tif 000011
【図１０】
2005254683.tif 000012